(57)【特許請求の範囲】
【請求項１】
接続コード側との間で電気的な導通をとってその一端側に付設される接続用クリップを、常に開方向に付勢されて相手材である接続端子側に導入される先端部と、該先端部の側を強制的に閉操作するための基端部とを有して交差軸部相互が軸支された一側クリップ片と他側クリップ片とで構成し、
これら一側クリップ片と他側クリップ片とは、前記接続端子の両側に設けられた一対の隔壁の内側面にそれぞれの前記先端部の外側面をその開方向への付勢力により各別に自動的に当接支持させた際に生成される弾性変形により、前記接続端子に圧接させて前記接続コード側と導通する導電性バネ材からなる導電部を少なくともいずれか一方の前記先端部に形成したことを特徴とする接続用クリップ。
【請求項２】
基台の一側外端部にそれぞれが隔壁により隔離された１以上の接続端子を有する端子台と、該端子台のいずれかの前記接続端子に接続される請求項１に記載の接続用クリップとで構成され、前記一側クリップ片と他側クリップ片とは、前記接続端子の両側に設けられた一対の隔壁の内側面にそれぞれの先端部の外側面を介してその開方向への付勢力により自動的に当接支持させた際に、前記先端部に設けられた前記導電部を前記接続端子に接触させて電気的に導通させたことを特徴とする接続用クリップと端子台の接続端子との接続構造。
【発明の詳細な説明】
【０００１】
【発明の属する技術分野】
本発明は、安定した状態で接続することができる接続用クリップおよび該クリップと端子台の接続端子との接続構造に関する。
【０００２】
【従来の技術】
図３は、配電盤用ブレーカーの端子台の一例を示す説明図であり、基台１の一側外端部１ａに立設された各隔壁２により隔離された例えば３個の導電性ねじからなる接続端子３を備えて形成されている。
【０００３】
図４は、図３に示す接続端子３に接続される接続用クリップ５を一端４ａ側に備えてなる接続コード４の一例を示す説明図である。
【０００４】
この場合、接続用クリップ５は、図４（ａ）に示すように常に閉方向に付勢されて相手材である接続端子３側に導入される先端部６ａ，７ａと、該先端部６ａ，７ａの側を強制的に開操作するための基端部６ｂ，７ｂとを有して交差軸部６ｃ，７ｃ相互を軸支した一側クリップ片６と他側クリップ片７とで形成されている。
【０００５】
このため、接続用クリップ５を接続端子３に接続する際には、基端部６ｂ，７ｂを相互に接近する方向へと押圧することにより、先端部６ａ，７ａを開操作することができる。そして、この状態で先端部６ａ，７ａに設けられている導電性挟持片８，９を接続端子３側に配置し、基端部６ｂ，７ｂ側の押圧力を解除することにより導電性挟着片８，９を接続端子３側に強制的に掛止もしくは挟持させることができ、これにより電気的な接続状態を得ることができる。
【０００６】
【発明が解決しようとする課題】
しかし、従来からある上記接続用クリップ５による場合には、端子台の接続端子３が例えば図示例のようにねじで形成されており、その頭部が滑りやすかったり、接続端子３の形状に対応合致しないようなとき、安定した接続状態を維持できなくなる不都合があった。
【０００７】
本発明は、従来技術の上記課題に鑑み、接続用クリップを端子台の接続端子に常に安定した状態で接続することができる接続用クリップおよび該クリップと端子台の接続端子との接続構造を提供することを目的とする。
【０００８】
【課題を解決するための手段】
本発明は、上記目的を達成するためになされたものであり、そのうちの第１の発明（接続用クリップ）は、接続コード側との間で電気的な導通をとってその一端側に付設される接続用クリップを、常に開方向に付勢されて相手材である接続端子側に導入される先端部と、該先端部の側を強制的に閉操作するための基端部とを有して交差軸部相互が軸支された一側クリップ片と他側クリップ片とで構成し、これら一側クリップ片と他側クリップ片とは、前記接続端子の両側に設けられた一対の隔壁の内側面にそれぞれの前記先端部の外側面をその開方向への付勢力により各別に自動的に当接支持させた際に生成される弾性変形により、前記接続端子に圧接させて前記接続コード側と導通する導電性バネ材からなる導電部を少なくともいずれか一方の前記先端部に形成したことに特徴がある。
【０００９】
また、第２の発明（接続構造）は、基台の一側外端部にそれぞれが隔壁により隔離された１以上の接続端子を有する端子台と、該端子台のいずれかの前記接続端子に接続される請求項１に記載の接続用クリップとで構成され、前記一側クリップ片と他側クリップ片とは、前記接続端子の両側に設けられた一対の隔壁の内側面にそれぞれの先端部の外側面を介してその開方向への付勢力により自動的に当接支持させた際に、前記先端部に設けられた前記導電部を前記接続端子に接触させて電気的に導通させたことに特徴がある。
【００１０】
【発明の実施の形態】
図１は、本発明に係る接続用クリップの一例を示す説明図であり、接続コード４側との間で電気的な導通をとってその一端４ａ側に付設される接続用クリップ１１の全体は、常に開方向に付勢されて相手材である図３の接続端子３側に導入される先端部１３，２３と、該先端部１３，２３の側を強制的に閉操作するための基端部１６，２６とを有して交差軸部１７，２７相互を支軸２０を介して軸支した一側クリップ片１２と他側クリップ片２２とで形成されている。
【００１１】
すなわち、これら一側クリップ片１２と他側クリップ片２２とは、支軸２０を介して介装配置させた図示しないコイルバネ等のバネ材に付勢されて、その不使用時に先端部１３，２３相互が図１（ａ）に示すように最大幅となって拡開された状態を維持している。
【００１２】
そして、これら一側クリップ片１２と他側クリップ片２２とは、それぞれの基端部１６，２６をバネ材の付勢力に抗して相互に接近する方向へと押圧することにより、先端部１３，２３相互を閉方向へと接近させた後に、その押圧力を解除することで、図１（ｂ）に示すように基台１の接続端子３に配置することができる。
【００１３】
図示例の接続用クリップ１１は、一側クリップ片１２が可動側で、他側クリップ片２２が固定側となって形成されているが、その逆であってもよく、さらには、ともに可動片として双方を動かせるようにしたものであってもよい。
【００１４】
また、一側クリップ片１２と他側クリップ片２２とは、それぞれの先端部１３，２３がその開度により適宜間隔をおいた平行状態を維持できるように、交差軸部１７，２７近傍位置から先端側内側にやや折曲させて直進させておくのが好ましい。
【００１５】
さらに、図１によれば、一側クリップ片１２の先端部１３の内側面１４には導電部１８が、他側クリップ片２２の先端部２３の内側面２４には導電部２８がそれぞれ固着されている。なお、導電部は、接続コード４に直結されるいずれか一方の先端部、例えば他側クリップ片２２の先端部２３にのみ設けておくこともできる。
【００１６】
図２（ａ），（ｂ）は、図１に示す導電部１８，２８の詳細構造例を要部を拡大して示す説明図であり、その接続時に弾性変形して接続端子３への圧接が自在な導電性バネ材１８ａ，２８ａもしくは１８ｂ，２８ｂにより導電部１８，２８が形成されている。このうち、図２（ａ）には、導電性バネ材１８ａを一側クリップ片１２の先端部１３の内側面１４に、導電性バネ材２８ａを他側クリップ片２２の先端部２３の内側面２４にそれぞれ配設した例が示されている。また、図２（ｂ）には、導電性バネ材１８ｂを一側クリップ片１２の先端部１３の端面１３ａからやや内側下方に向けて突出させて配設し、導電性バネ材２８ｂを他側クリップ片２２の先端部２３の端面２３ａからやや内側下方に向けて突出させて配設した例が示されている。
【００１７】
つまり、導電性バネ材１８ａ，２８ａもしくは１８ｂ，２８ｂからなる導電部１８，２８は、接続端子３の両側に設けられた一対の隔壁２，２の相互に対面している各内側面２ａ，２ａにそれぞれの先端部１３，２３の外側面１５，２５を各別に当接させた際に生成される弾性変形により、接続端子３に圧接させて電気的な接触状態を維持できることになる。
【００１８】
次に、本発明に係る接続用クリップと端子台の接続端子との接続構造を、上記した接続用クリップ１１の作用とともに説明する。
【００１９】
本発明に係る接続構造は、基台１の一側外端部１ａにそれぞれが隔壁２により隔離された３個の接続端子３を有する図３に示す配電盤用ブレーカーの端子台を例に説明すれば、該端子台のいずれかの接続端子３に接続用クリップ１１が例えば図１（ｂ）に示すようにして接続されている。
【００２０】
すなわち、接続用クリップ１１を構成している一側クリップ片１２と他側クリップ片２２とは、基端部１６，２６を図１（ａ）に示すようにバネ材の付勢力に抗して相互に接近する方向へと押圧することにより、先端部１３，２３相互を閉方向へと接近させることができる。
【００２１】
この状態のもとで１個の接続端子３の両側に設けられている一対の隔壁２，２の内側面２ａ，２ａに向けて上方からそれぞれの先端部１３，２３を導入した後、基端部１６，２６への押圧力を解除する。
【００２２】
これにより、図１（ｂ）に示すように一側クリップ片１２の先端部１３は、その外側面１５を一方の隔壁２の内側面２ａに、他側クリップ片２２の先端部２３は、その外側面２５を他方の隔壁２の内側面２ａにそれぞれ自動的に当接される結果、接続用クリップ１１の先端部１３，２３は、安定的に支持されるに至る。
【００２３】
しかも、このとき、先端部１３の導電部１８と先端部２３の導電部２８とは、図１（ｂ）に示すように接続端子３に接触して導通状態を確保することができる。
【００２４】
すなわち、図２（ａ）に示す接続用クリップ１１によれば、導電部１８を導電性バネ材１８ａにより、導電部２８を導電性バネ材２８ａによりそれぞれ形成してあるので、常に接続端子３の側に押圧力を付与した状態のもとで安定的に接続することができる。
【００２５】
また、図２（ｂ）に示す接続用クリップ１１によれば、導電部１８としての導電性バネ材１８ｂは、先端部１３の端面１３ａからやや内側下方に向けて突出させ、導電部２８としての導電性バネ材２８ｂは、先端部２３の端面２３ａからやや内側下方に向けて突出させてそれぞれが配設されている。このため、仮に先端部１３，２３のそれぞれの肉厚が隔壁２の内側面２ａと接続金具３との間に形成される空隙tよりも厚い場合であっても、該空隙t内に導電性バネ材１８ｂ，２８ｂのみを導入し、これらを弾性変形させながら確実に、かつ、安定的に接続金具３に接触させて接続することができる。
【００２６】
なお、測定を終えた接続用クリップ１１は、単に基端部１６，２６を把持して強制的に引き抜くことにより、接触端子３と導電部１８，２８との接続関係を簡単に解消することができる。
【００２７】
【発明の効果】
以上述べたように本発明によれば、接続用クリップを構成している一側クリップ片と他側クリップ片とは、接続端子の両側に設けられた一対の隔壁の内側面にそれぞれの先端部の外側面をその開方向への付勢力により各別に自動的に当接支持させると同時に、導電性バネ材からなる導電部を接続端子に対し確実、かつ、安定した状態のもとで電気的に接触させることができる。
【００２８】
特に、導電部としての導電性バネ材を先端部の端面からやや内側下方に向けて突出させて配設してある場合には、仮に先端部の肉厚が隔壁の内側面と接続金具との間に形成される空隙よりも厚い場合であっても、該空隙内に導電性バネ材のみを導入して弾性変形させながら確実に、かつ、安定的に接続金具に接触させながら接続することができる。
【図面の簡単な説明】
【図１】本発明に係る接続用クリップ（ａ)と、該クリップと端子台の接続端子との接続構造（ｂ）との概要を例示する説明図。
【図２】本発明に係る接続用クリップが備える導電性バネ材からなる導電部を（ａ)，（ｂ）としてパターン別に要部を拡大して例示する説明図。
【図３】一般に用いられている配電盤用ブレーカーの端子台の一例を示す説明図。
【図４】図３に示す接続端子に接続される従来からあるクリップを一端側に備えてなる接続コードを例示する説明図。
【符号の説明】
１ 基台
１ａ 一側外端部
２ 隔壁
３ 接続端子
４ 接続コード
４ａ 一端
５ 接続用クリップ
６ 一側クリップ片
６ａ 先端部
６ｂ 基端部
６ｃ 交差軸部
７ 他側クリップ片
７ａ 先端部
７ｂ 基端部
７ｃ 交差軸部
８，９ 導電性挟着片
１１ 接続用クリップ
１２ 一側クリップ片
１３ 先端部
１４ 内側面
１５ 外側面
１６ 基端部
１７ 交差軸部
１８ 導電部
１８ａ，１８ｂ  導電性バネ材
２２ 他側クリップ片
２３ 先端部
２４ 内側面
２５ 外側面
２６ 基端部
２７ 交差軸部
２８ 導電部
２８ａ，２８ｂ 導電性バネ材
【図１】
0004603145.tif 000002
【図２】
0004603145.tif 000003
【図３】
0004603145.tif 000004
【図４】
0004603145.tif 000005